(57)【要約】【課題】複数の画像形成装置の動作状況等を示すステータス情報表示の使い勝手を改善した情報処理装置を提供する。【解決手段】  ステータス情報取得部２００は、複数の画像形成装置１のステータス情報１００をそれぞれ取得する。ユーザー選択機器情報登録部２１０は、取得された複数の画像形成装置１のステータス情報１００のうち、ユーザーにより優先してステータス情報を表示するよう選択された画像形成装置１をユーザー選択機器情報４００に登録する。ステータス情報表示制御部２２０は、ユーザー選択機器情報４００に登録された画像形成装置１のステータス情報１００について、登録された順番が遅いほど表示の優先順位を上位にして、画像形成装置１毎に表示欄で区別して一画面で並べて表示部２３に表示させる。【選択図】図１
2015087901.tif 000002
【特許請求の範囲】
【請求項１】
画像形成装置の動作状況等を示すステータス情報を表示可能な情報処理装置において、
複数の前記画像形成装置のステータス情報をそれぞれ取得するステータス情報取得手段と、
該ステータス情報取得手段により取得された複数の前記画像形成装置のステータス情報のうち、ユーザーにより優先してステータス情報を表示するよう選択された前記画像形成装置をユーザー選択機器情報として登録するユーザー選択機器情報登録手段と、
該ユーザー選択機器情報登録手段により前記ユーザー選択機器情報に登録された前記画像形成装置のステータス情報について、登録された順番が遅いほど表示の優先順位を上位にして、前記画像形成装置毎に表示欄で区別して一画面で並べて表示させるステータス情報表示制御手段とを備える
ことを特徴とする情報処理装置。
【請求項２】
前記ステータス情報表示制御手段は、
ユーザーの指示又はステータス情報を表示する画面の大きさの情報を取得し、前記画像形成装置毎に、ステータス情報を表示する表示欄の大きさと、表示するステータス情報の種類とを変化させ表示させる
ことを特徴とする請求項１に記載の情報処理装置。
【請求項３】
各ステータス情報が表示されるものと同一の画面上に、選択された前記画像形成装置の機能を呼び出す表示欄を表示させる機能選択表示手段を備える
ことを特徴とする請求項１又は２に記載の情報処理装置。
【請求項４】
請求項１乃至４のいずれか１項に記載の情報処理装置と、
前記画像形成装置とを備えた
ことを特徴とする画像形成システム。
【請求項５】
画像形成装置の動作状況等を示すステータス情報を表示可能な情報処理装置により実行される情報処理方法において、
複数の前記画像形成装置のステータス情報をそれぞれ取得し、
取得された複数の前記画像形成装置のステータス情報のうち、ユーザーにより優先してステータス情報を表示するよう選択された前記画像形成装置をユーザー選択機器情報として登録し、
前記ユーザー選択機器情報に登録された前記画像形成装置のステータス情報について、登録された順番が遅いほど表示の優先順位を上位にして、前記画像形成装置毎に表示欄で区別して一画面で並べて表示する
ことを特徴とする情報処理方法。
【発明の詳細な説明】
【技術分野】
【０００１】
本発明は、情報処理装置、画像形成システム、及び情報処理方法に係り、特に画像形成装置のステータス情報を表示可能な情報処理装置、画像形成システム、及び情報処理方法に関する。
【背景技術】
【０００２】
従来から、文書や画像を印刷可能な複合機（Multifunctional Peripheral, MFP）等の画像形成装置が存在する。
このような画像形成装置においては、動作状況等を示すステータス情報を表示可能なものがある。
【０００３】
特許文献１を参照すると、ネットワーク上の画像形成装置を選択する画面上に、ＣＭＹＫ各色のトナーレベルをアイコンにより、各画像形成装置と対応付けて行方向に表示され、ＣＭＹＫ各色のアイコンが全画像形成装置について列方向一列に表示され、クリックされた選択行とその下側に隣り合う行との間がアコーディオン方式で開けられ、そのスペースに、選択行の画像形成装置の性能情報が表示される情報処理装置の技術が記載されている。
【先行技術文献】
【特許文献】
【０００４】
【特許文献１】特開２０１０−７９５７５号公報
【発明の概要】
【発明が解決しようとする課題】
【０００５】
しかしながら、特許文献１の技術は、複数の画像形成装置のステータス情報としてＣＭＹＫのトナーレベルを一覧表示できるものの、ネットワーク上に画像形成装置が多いと、実際にステータス情報を知りたい画像形成装置の情報を探し出すのに手間がかかるという問題があった。
【０００６】
本発明は、このような状況に鑑みてなされたものであって、上述の問題点を解消する画像形成装置を提供することを課題とする。
【課題を解決するための手段】
【０００７】
本発明の情報処理装置は、画像形成装置の動作状況等を示すステータス情報を表示可能な情報処理装置において、複数の前記画像形成装置のステータス情報をそれぞれ取得するステータス情報取得手段と、該ステータス情報取得手段により取得された複数の前記画像形成装置のステータス情報のうち、ユーザーにより優先してステータス情報を表示するよう選択された前記画像形成装置をユーザー選択機器情報として登録するユーザー選択機器情報登録手段と、該ユーザー選択機器情報登録手段により前記ユーザー選択機器情報に登録された前記画像形成装置のステータス情報について、登録された順番が遅いほど表示の優先順位を上位にして、前記画像形成装置毎に表示欄で区別して一画面で並べて表示させるステータス情報表示制御手段とを備えることを特徴とする。
本発明の情報処理装置は、前記ステータス情報表示制御手段は、ユーザーの指示又はステータス情報を表示する画面の大きさの情報を取得し、前記画像形成装置毎に、ステータス情報を表示する表示欄の大きさと、表示するステータス情報の種類とを変化させ表示させることを特徴とする。
本発明の情報処理装置は、各ステータス情報が表示されるものと同一の画面上に、選択された前記画像形成装置の機能を呼び出す表示欄を表示させる機能選択表示手段を備えることを特徴とする。
本発明の画像形成システムは、前記情報処理装置と、前記画像形成装置とを備えたことを特徴とする。
本発明の情報処理方法は、画像形成装置の動作状況等を示すステータス情報を表示可能な情報処理装置により実行される情報処理方法において、複数の前記画像形成装置のステータス情報をそれぞれ取得し、取得された複数の前記画像形成装置のステータス情報のうち、ユーザーにより優先してステータス情報を表示するよう選択された前記画像形成装置をユーザー選択機器情報として登録し、前記ユーザー選択機器情報に登録された前記画像形成装置のステータス情報について、登録された順番が遅いほど表示の優先順位を上位にして、前記画像形成装置毎に表示欄で区別して一画面で並べて表示することを特徴とする。
【発明の効果】
【０００８】
本発明によれば、ユーザーにより優先してステータス情報を表示するよう選択された画像形成装置を登録し、登録された順番が遅いほど表示の優先順位を上位にして、表示欄で区別して一画面で並べて表示させることで、ステータス情報を知りたい画像形成装置の情報を容易に探すことができる画像形成装置を提供することができる。
【図面の簡単な説明】
【０００９】
【図１】本発明の情報処理装置及び画像形成装置の実施の形態に係るシステム構成図である。
【図２】本発明の実施の形態に係るステータス表示処理のフローチャートである。
【図３】図２に示すステータス情報描画の画面例である。
【図４】図３に示す表示欄の詳細を示す画面例である。
【図５】図１に示す情報処理装置及び画像形成装置からなる画像形成システムの全体構成を示す図である。
【図６】図１に示す画像形成装置の全体構成を示すブロック図である。
【図７】図１に示す情報処理装置の全体構成を示すブロック図である。
【図８】図１に示す画像形成装置の概略図である。
【発明を実施するための形態】
【００１０】
＜実施の形態＞
〔画像形成システムＸの全体の構成〕
図５を参照して、本発明の実施の形態に係る画像形成システムＸの全体の構成について説明する。
画像形成装置１は、動作状況等を示す各種ステータス情報１００（図１）を情報処理装置２に送信可能なＭＦＰ等の画像形成装置である。画像形成装置１は、一つ以上備えられている。
情報処理装置２は、複数の画像形成装置１からステータス情報１００を取得して表示可能なＰＣ／ＡＴ互換機等のＰＣやスマートフォンや携帯電話やタブレット端末等である。情報処理装置２は、ユーザーが作成した印刷データ３２０（図１）を画像形成装置１に送信することも可能である。情報処理装置２も、一つ以上備えられている。
画像形成装置１及び情報処理装置２は、ＬＡＮ、無線ＬＡＮ、ＷＡＮ、携帯電話網等のネットワーク５に接続されている。
【００１１】
（画像形成装置１の全体の構成）
図６によると、画像形成装置１は、制御部１０（制御手段）、画像処理部１１（画像処理手段）、原稿読取部１２（原稿読取手段、スキャン手段）、原稿給送部１３、搬送部（給紙ローラー４２ｂ、搬送ローラー対４４、排出ローラー対４５）、ネットワーク送受信部１５、操作パネル部１６、画像形成部１７（画像形成手段）、ＦＡＸ送受信部１８（ＦＡＸ送受信手段）、及び記憶部１９等が、各種バス等で接続されている。各部は、制御部１０によって動作制御される。
【００１２】
制御部１０は、ＧＰＰ（General Purpose Processor）、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等の情報処理手段である。
制御部１０は、記憶部１９のＲＯＭやＨＤＤに記憶されている制御プログラムを読み出して、この制御プログラムをＲＡＭに展開させて実行することで、後述する機能ブロックの各手段として動作させられる。また、制御部１０は、操作パネル部１６や、情報処理装置２の入力部２２等から入力された所定の指示情報に対応した装置全体の制御を行う。
【００１３】
画像処理部１１は、ＤＳＰ（Digital Signal Processor）やＧＰＵ（Graphics Processing Unit）等の制御演算手段である。画像処理部１１は、画像データに対して所定の画像処理を行う手段であり、例えば、拡大縮小、濃度調整、階調調整、画像改善等の各種画像処理を行う。
画像処理部１１は、原稿読取部１２で読み取られた画像を、記憶部１９に印刷データ３２０として記憶する。この際、画像処理部１１は、印刷データ３２０をＰＤＦやＴＩＦＦ等のフォーマットのファイル単位に変換することも可能である。
【００１４】
原稿読取部１２は、セットされた原稿を読み取る（スキャン）手段である。
原稿給送部１３は、原稿読取部１２で読み取られる原稿を搬送する手段である。
画像形成部１７は、ユーザーの出力指示により、記憶部１９に記憶され、原稿読取部１２で読み取られ、又は情報処理装置２から取得されたデータから記録紙への画像形成を行わせる手段である。
搬送部は、給紙カセット４２ａ（図７）から記録紙を搬送し、画像形成部１７で画像形成させ、その後にスタックトレイ５０へ搬送する。
なお、原稿読取部１２、原稿給送部１３、搬送部、画像形成部１７の動作については後述する。
【００１５】
ネットワーク送受信部１５は、ネットワーク５に接続するためのＬＡＮボードや無線送受信機等を含むネットワーク接続手段である。
ネットワーク送受信部１５は、データ通信用の回線ではデータを送受信し、音声電話回線では音声信号を送受信する。
ネットワーク送受信部１５は、ネットワーク５を介して、情報処理装置２と接続し、ステータス情報１００（図１）、印刷データ３２０（図１）、ログイン時のユーザーＩＤやパスワード、及び各種機能を呼び出すためのコマンド等を送受信可能である。
【００１６】
操作パネル部１６は、ユーザーによる画像形成装置１の各種ジョブの指示を取得する。また、操作パネル部１６から取得したユーザーの指示により、各ユーザーの情報を入力、変更する。
操作パネル部１６は、入力部と、表示部とを備えている。入力部は、テンキー、スタート、キャンセル、複写やＦＡＸ送信やスキャナー等の動作モードの切り換えのボタンと、選択された文書の印刷や送信や保存や記録等に関するジョブの実行に係る指示を行うためのボタンやタッチパネル等である。表示部は、ＬＣＤや有機ＥＬパネル等の表示手段である。
操作パネル部１６は、入力部によるユーザーの指示により、画像形成装置１のステータス情報１００（図１）を表示部２３に表示したり、設定したりすることも可能である。また、操作パネル部１６の表示部には、印刷データ３２０や文書ボックスに保存されたファイルのプレビュー表示をしてもよい。
【００１７】
ＦＡＸ送受信部１８は、ファクシミリの送受信を行う部位であり、通常の電話回線やＩＳＤＮ回線等と接続されている。
また、ＦＡＸ送受信部１８は、受信したファクシミリ画像を、印刷データ３２０（図１）として記憶部１９に記憶する。
【００１８】
記憶部１９は、ＲＯＭ（Read Only Memory）、ＲＡＭ（Random Access Memory）等の半導体メモリーやＨＤＤ（Hard Disk Drive）等の記録媒体を用いた記憶手段である。
記憶部１９のＲＡＭは、省電力状態であっても、セルフリフレッシュ等の機能により、記憶内容が保持される。
記憶部１９のＲＯＭやＨＤＤには画像形成装置１の動作制御を行うための制御プログラムが記憶されている。また、記憶部１９には、ユーザー毎の保存フォルダーの領域が含まれていてもよい。
【００１９】
なお、画像形成装置１において、制御部１０及び画像処理部１１は、ＧＰＵ内蔵ＣＰＵ等やチップ・オン・モジュールパッケージのように、一体的に形成されていてもよい。
また、制御部１０及び画像処理部１１は、ＲＡＭやＲＯＭやフラッシュメモリー等を内蔵していてもよい。
【００２０】
（情報処理装置２の全体の構成）
図７によると、情報処理装置２は、制御部２０、Ｉ／Ｏ部２１、入力部２２、表示部２３、ネットワーク送受信部２５、及び記憶部２９（位置情報記憶手段）を備えている。各部は、制御部２０によって動作制御される。
【００２１】
制御部２０は、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等である演算・制御能力を備えた制御手段である。制御部２０は、記憶部２９に記憶された各プログラムを、ハードウェア資源を用いて実行する。
【００２２】
Ｉ／Ｏ部２１は、各種周辺機器（ペリフェラル）に接続するための、ＤＶＩ、アナログＲＧＢ、ＨＤＭＩ（登録商標）、ＵＳＢ、ＩＥＥＥ１３９４、シリアル、パラレル、赤外線、無線等のインターフェイスを提供するインターフェイスの手段である。Ｉ／Ｏ部２１は、入力部２２及び表示部２３と接続される。
【００２３】
入力部２２は、各種設定やユーザー認証等の情報を入力するためのキーボードやマウスやタッチパネルやタッチパッド等の入力手段である。
【００２４】
表示部２３は、ＬＣＤディスプレイや有機ＥＬディスプレイ等の表示手段である。表示部２３は、アプリの描画やセキュリティー設定のための画面表示等が可能である。
【００２５】
ネットワーク送受信部２５は、ネットワーク５に接続するための、例えば１０００ＢＡＳＥ−Ｔ／１００ＢＡＳＥ−ＴＸ等の規格のＬＡＮインターフェイスや無線ＬＡＮインターフェイスや携帯電波送受信デバイス等である。情報処理装置２は、ネットワーク送受信部２５を介して、画像形成装置１からステータス情報１００（図１）を取得する。また、情報処理装置２は、画像形成装置１との間で印刷データ３２０（図１）、ログイン時のユーザーＩＤやパスワード等を送受信可能である。
なお、ネットワーク送受信部２５は、外部のハブやルータ等に接続され、ネットワーク５に接続されていてもよい。
【００２６】
記憶部２９は、ＲＡＭ（Random Access Memory）、ＳＳＤ（Solid State Drive）等のフラッシュメモリーディスク、ＨＤＤ（Hard Disk Drive）、磁気テープ装置、光ディスク装置等の記憶手段である。記憶部２９は、情報処理装置２を画像形成装置１のステータス情報１００（図１）を取得し、印刷データ３００（図１）を選択された画像形成装置１に送信する端末として機能させるためのデバイスドライバーを含む制御プログラムやデータを記憶している。
また、記憶部２９は、ＧＵＩ（Graphical User Interface）を備えたＯＳ（Operating System）、ワードプロセッサー、表計算ソフトウェア、描画ソフトウェア、WWWブラウザー、電子メーラ等のアプリケーション・ソフトウェア（以下「アプリ」という。）、及びその他のプログラムやデータ等も記憶している。
これらのプログラムやデータは、制御部２０が読み出して実行したり、書き込んだりすることが可能である。
【００２７】
〔画像形成装置１の動作〕
次に、図８を参照して、本発明の実施の形態に係る画像形成装置１の動作について説明する。
原稿読取部１２は、本体部１４の上部に配設され、原稿給送部１３は、原稿読取部１２の上部に配設されている。スタックトレイ５０は、本体部１４に形成された記録紙の排出口４１側に配設され、また、操作パネル部１６は、画像形成装置１のフロント側に配設されている。
【００２８】
原稿読取部１２は、スキャナー１２ａと、プラテンガラス１２ｂと、原稿読取スリット１２ｃとを備えている。スキャナー１２ａは、露光ランプ、及びＣＣＤ(Charge Coupled Device)やＣＭＯＳ（Complementary Metal Oxide Semiconductor）撮像センサー等から構成され、原稿給送部１３による原稿の搬送方向に移動可能に構成されている。
プラテンガラス１２ｂは、ガラス等の透明部材により構成された原稿台である。原稿読取スリット１２ｃは、原稿給送部１３による原稿の搬送方向と直交方向に形成されたスリットを有する。
【００２９】
プラテンガラス１２ｂに載置された原稿を読み取る場合には、スキャナー１２ａは、プラテンガラス１２ｂに対向する位置に移動され、プラテンガラス１２ｂに載置された原稿を走査しながら原稿を読み取って画像データを取得して、取得した画像データを本体部１４に備わる制御部１０（図６）に出力する。
また、原稿給送部１３により搬送された原稿を読み取る場合には、スキャナー１２ａは、原稿読取スリット１２ｃと対向する位置に移動され、原稿読取スリット１２ｃを介し、原稿給送部１３による原稿の搬送動作と同期して原稿を読み取って画像データを取得し、取得した画像データを本体部１４に備わる制御部１０に出力する。
【００３０】
原稿給送部１３は、原稿載置部１３ａと、原稿排出部１３ｂと、原稿搬送機構１３ｃとを備えている。原稿載置部１３ａに載置された原稿は、原稿搬送機構１３ｃによって、１枚ずつ順に繰り出されて原稿読取スリット１２ｃに対向する位置へ搬送され、その後、原稿排出部１３ｂに排出される。
なお、原稿給送部１３は、可倒式に構成され、原稿給送部１３を上方に持ち上げることで、プラテンガラス１２ｂの上面を開放させることができる。
【００３１】
本体部１４は、画像形成部１７を備えると共に、給紙部４２と、用紙搬送路４３と、搬送ローラー対４４と、排出ローラー対４５とを備えている。給紙部４２は、それぞれサイズ又は向きが異なる記録紙を収納する複数の給紙カセット４２ａと、給紙カセット４２ａから記録紙を１枚ずつ用紙搬送路４３に繰り出す給紙ローラー４２ｂとを備えている。給紙ローラー４２ｂ、搬送ローラー対４４、及び排出ローラー対４５は、搬送部として機能する。記録紙は、この搬送部により搬送される。また、搬送部は、各給紙カセット４２ａ内の記録紙の量を検出するセンサーを備えている。
給紙ローラー４２ｂによって用紙搬送路４３に繰り出された記録紙は、搬送ローラー対４４によって画像形成部１７に搬送される。そして、画像形成部１７によって記録が施された記録紙は、排出ローラー対４５によってスタックトレイ５０に排出される。
【００３２】
画像形成部１７は、感光体ドラム１７ａと、露光部１７ｂと、現像部１７ｃと、転写部１７ｄと、定着部１７ｅとを備えている。露光部１７ｂは、レーザー装置やミラーやレンズやＬＥＤアレイ等を備えた光学ユニットであり、画像データに基づいて光等を出力して感光体ドラム１７ａを露光し、感光体ドラム１７ａの表面に静電潜像を形成する。現像部１７ｃは、トナーを用いて感光体ドラム１７ａに形成された静電潜像を現像する現像ユニットであり、静電潜像に基づいたトナー像を感光体ドラム１７ａ上に形成させる。転写部１７ｄは、現像部１７ｃによって感光体ドラム１７ａ上に形成されたトナー像を記録紙に転写させる。定着部１７ｅは、転写部１７ｄによってトナー像が転写された記録紙を加熱してトナー像を記録紙に定着させる。
【００３３】
〔画像形成装置１及び情報処理装置２のシステム構成〕
ここで、図１により、画像形成システムＸに含まれる画像形成装置１及び情報処理装置２の詳細なシステム構成について説明する。
【００３４】
画像形成装置１は、記憶部１９（図６）に、ステータス情報１００を記憶している。
【００３５】
ステータス情報１００は、画像形成装置１の各動作状態（ステータス）を示すデータである。ステータス情報１００は、例えば、印刷可能状態、故障や記録紙の紙詰まりやトナー切れ等のエラー状態、省電力モード、ネットワーク接続、各色トナーの残量、各給紙カセット４２ａの用紙残量及び用紙種類、印刷の際に使用される給紙カセット４２ａ等の各種の動作状態の情報がそれぞれ含まれている。また、ステータス情報１００として、カラー又は白黒出力の種別、画像形成装置１や印刷データ３２０の送信元のＩＰアドレス、印刷データ３２０のファイル名、ファイルの種別、プレビューデータ、作成したユーザーＩＤ等の各種情報も含んでいてもよい。
【００３６】
情報処理装置２は、制御部２０に、ステータス情報取得部２００（ステータス情報取得手段）、ユーザー選択機器情報登録部２１０（ユーザー選択機器情報登録手段）、ステータス情報表示制御部２２０（ステータス情報表示制御手段）、及び機能選択表示部２３０（機能選択表示手段）を備えている。
【００３７】
ステータス情報取得部２００は、複数の画像形成装置１のステータス情報１００をそれぞれ取得する。ステータス情報取得部２００は、ユーザーのアカウント設定３１０の設定に対応した画像形成装置１のステータス情報１００を取得する。
また、ステータス情報取得部２００は、入力部２２から取得された、又は記憶部２９に記憶されたユーザーのユーザーＩＤ（Identification）やパスワードを取得してユーザー認証を行う。
【００３８】
ユーザー選択機器情報登録部２１０は、ユーザーの指示を取得し、ステータス情報取得部２００により取得された複数の画像形成装置１のステータス情報１００のうち、優先してステータス情報を表示するよう選択された画像形成装置１を「お気に入り」（Recent and Favorite）として、ユーザー選択機器情報４００に設定することで登録し、記憶部２９に保存する。
また、ユーザー選択機器情報登録部２１０は、ユーザーの指示を取得し、印刷データ３２０を送信し各種機能を呼び出すよう選択された「現在選択」（Current）の画像形成装置１についても、ユーザー選択機器情報４００に登録し、記憶部２９に保存する。
【００３９】
ステータス情報表示制御部２２０は、ユーザー選択機器情報登録部２１０によりユーザー選択機器情報４００に登録された画像形成装置１のステータス情報１００について、登録された順番が遅いほど表示の優先順位を上位にして、画像形成装置１毎に表示欄で区別して一画面で並べて表示部２３に表示させる。ステータス情報表示制御部２２０は、この際、例えば、印刷データ３２０の送信先として選択された「現在選択」の画像形成装置１のステータス情報１００の各動作状況を、スクロール可能な画面上の右側又は左側の端部に矩形のウィンドウ等の状態の表示欄としてまとめて描画し、表示させる。また、ステータス情報表示制御部２２０は、ユーザーの指示によりユーザー選択機器情報４００に登録された「お気に入り」のステータス情報１００を同様に表示欄として、描画し、表示させる。ステータス情報表示制御部２２０は、この際、一番最近に「お気に入り」に登録された順に「現在選択」の画像形成装置１のステータス情報１００に近い順（優先順位順）に並べて描画し、表示させる。これらの表示欄は、スワイプ等によりスクロールさせて閲覧させ、タッチ等で押下し、設詳細な情報の表示や設定の指示をすることができる。
また、ステータス情報表示制御部２２０は、ユーザーの指示を取得し、又はステータス情報１００を表示する画面の大きさの情報を取得する。ステータス情報表示制御部２２０は、これらの情報により、画像形成装置１毎に、ステータス情報１００を表示する表示欄の大きさ、表示するステータス情報１００の動作状態の種類等を変化させる。
【００４０】
機能選択表示部２３０は、各ステータス情報１００が表示されるものと同一の表示部２３の画面上に、選択された画像形成装置１の機能を呼び出す表示欄を描画して、表示させる。この表示欄から呼び出す画像形成装置１の機能としては、スキャン、外部カメラによる画像取得、文書ボックス操作、印刷するテンプレート画像の編集等、当該画像形成装置１と情報処理装置２との間で制御可能な機能が含まれる。
【００４１】
また、情報処理装置２は、記憶部２９に動作状態情報３００、アカウント設定３１０、及び印刷データ３２０を記憶する。
【００４２】
動作状態情報３００は、画像形成装置１の動作状態を示すデータである。動作状態情報３００は、ステータス情報取得部２００により取得された複数の画像形成装置１のステータス情報１００を含んでいる。
また、動作状態情報３００は、ステータスを表示するためログインしたユーザーのユーザーＩＤ、ステータスを取得した画像形成装置１のＩＰアドレス、機器固有ＩＤ、表示時刻、ステータスの表示履歴等の情報を蓄積してもよい。
【００４３】
アカウント設定３１０は、ユーザーのステータス表示の設定を含む各種情報を含むデータベースである。アカウント設定３１０は、ユーザーのアカウント毎にユーザーＩＤ、パスワード等、ユーザー選択機器情報４００、各画像形成装置１のステータス表示設定４１０、画像形成装置１のデバイスドライバーの設定情報、権限情報、アドレス情報、課金情報等の情報により構成されている。
ユーザーＩＤは、ユーザーのＩＤ（Identification）やユーザー名等の情報である。パスワード等はユーザー認証時のパスワード等であり、各種設定の変更のためのパスワードや認証コードや暗証番号等に使用される。ユーザー選択機器情報４００、ステータス表示設定４１０については後述する。画像形成装置１のデバイスドライバーの設定情報は、ステータス情報１００を取得可能な画像形成装置１の種類、デバイスドライバーの表示時に利用できる表示部２３の画面の大きさの情報、情報処理装置の種類やＯＳの情報、スクロールの方法、タッチパネルの有無、ロケール（言語情報）等の、デバイスドライバーの実行時の各種設定に関する情報を含んでいる。権限情報は、管理者、一般ユーザー、ゲストユーザー等の権限に係る情報である。アドレス情報は、ユーザーの電子メールアドレス、ＩＰアドレス、アドレス帳、電話番号、ＦＡＸ番号、文書ボックスのアドレス等を含んでいる。課金情報は、白黒印刷、カラー印刷のページ別に課金するための情報である。課金情報には、ページ課金の他に、店舗での課金等の情報やネットワークプリント等の情報が含まれていてもよい。
【００４４】
印刷データ３２０は、情報処理装置２のアプリで作成され、画像形成装置１用のデバイスドライバーでＰＤＬ（Page Description Language）に変換された文書のデータ、画像形成装置１から取得された画像や文書のデータ等である。印刷データ３２０の画像データ及び／又は文書のデータは、原稿読取部１２やＦＡＸ送受信部１８で読み取られたビットマップ等の画像データ、外部のサーバー（図示せず）や記録媒体等から取得されたＰＤＦ（Portable Document Format）等の文書のデータ、ｊｐｇやＧＩＦやＴＩＦＦ等のフォーマットの画像データ等であってもよい。また、印刷データ３２０は、作成者のユーザーＩＤやパスワード、作成した情報処理装置２の機器やアプリケーションの種類やＩＰアドレス等のデータを含んでいてもよい。
【００４５】
ユーザー選択機器情報４００は、ユーザーにより優先してステータス情報を表示するよう選択された画像形成装置１を示すデータである。本実施形態では、ユーザー選択機器情報４００は、ログインしたユーザー毎にユーザー選択機器情報登録部２１０により設定される。
ユーザー選択機器情報４００は、ユーザーに選択された所定数の画像形成装置１の機器名、機種名、機器固有ＩＤ等の識別用の情報である機器情報が含まれている。このユーザー選択機器情報４００に登録された機器情報が、優先してステータス情報１００を表示する「お気に入り」の画像形成装置１となる。また、ユーザー選択機器情報４００には、「お気に入り」とは別に「現在選択」の画像形成装置１の機器情報が含まれている。また、ユーザー選択機器情報４００の機器情報は、ユーザーに選択された際に新しい方が優先順位の上位となるように登録される。また、「お気に入り」の画像形成装置１の数が所定数以上になった場合、ユーザー選択機器情報４００の古い方（優先順位の低い順）から機器情報を削除してもよい。
なお、ユーザー選択機器情報４００の優先順位が最上位の機器情報が「現在選択」の画像形成装置１となるようなデータ構造であってもよい。
【００４６】
ステータス表示設定４１０は、ステータス情報１００の表示方法の設定データである。ステータス表示設定４１０は、一度でもステータス情報１００を取得した画像形成装置１毎に、機器情報と、オンライン又はオフラインの状態情報、取得した際の動作状態の種別の情報が含まれている。また、ステータス表示設定４１０には、表示欄が大きさが標準の「標準モード」と、表示欄の大きさが「標準モード」より小さい「コンパクトモード」のそれぞれについて、どの動作状態を表示するか、表示する際のレイアウト、表示の優先順位設定等のデータを含んでいてもよい。また、ステータス表示設定４１０は、対応する画像形成装置１が「現在選択」や「お気に入り」になっているか否かについての情報も含んでいてもよい。また、ステータス表示設定４１０は、デフォルト（既定）の給紙カセット４２ａの設定、各給紙カセット４２ａのデフォルトの用紙種類の設定、カラー又は白黒での出力を行うか否かの種別に係るデフォルトの設定、課金設定等も含んでいてもよい。
ステータス表示設定４１０の各設定は、管理者のユーザー等により、入力部２２や画像形成装置１の操作パネル部１６（図６）で追加、削除、変更等の設定が可能である。
【００４７】
ここで、情報処理装置２の制御部２０は、記憶部２９に記憶されたデバイスドライバー等の制御プログラムを実行することで、ステータス情報取得部２００、ユーザー選択機器情報登録部２１０、及びステータス情報表示制御部２２０として機能する。
また、上述の画像形成装置１又は情報処理装置２の各部は、本発明の画像形成方法を実行するハードウェア資源となる。
【００４８】
〔画像形成装置１によるステータス表示処理〕
次に、図２〜図４を参照して、本発明の実施の形態に係る画像形成装置１によるステータス表示処理の説明を行う。
本実施形態のステータス表示処理では、まず、複数の画像形成装置１のステータス情報１００を取得する。また、ユーザーの指示により、「お気に入り」の画像形成装置１をユーザーに選択させて登録する。この上で、ユーザーが印刷先として設定している「現在選択」と「お気に入り」のステータス情報１００も表示する。この際、「お気に入り」の画像形成装置１は、新しく登録された順で、表示欄で区別して一画面で並べて表示する。また、選択された画像形成装置１については、コンパクト表示を行ってもよい。また、ユーザーが選択した場合、画像形成装置１について、各種機能を呼び出すこともできる。
本実施形態のステータス表示処理は、情報処理装置２の制御部２０及び画像形成装置１の制御部１０が、画像形成装置１の記憶部１９及び情報処理装置２の記憶部２９に記憶されたプログラムを実行し、各部と協働し、ハードウェア資源を用いて実行する。
以下で、図２のフローチャートを参照して、ステータス表示処理の詳細をステップ毎に説明する。
【００４９】
（ステップＳ１００）
まず、制御部２０が、ステータス情報取得部２００により、ステータス情報取得処理を行う。
制御部２０は、ネットワーク５を介してブロードキャスト等を行い、画像形成装置１にステータス情報を送信する。これを受信した各画像形成装置１は、ステータス情報１００を送信する。
制御部２０は、これらのステータス情報１００を取得して、記憶部１９の動作状態情報３００に保存する。また、制御部２０は、アカウント設定３１０のステータス表示設定４１０を参照して、以前ステータス情報１００を取得したことがある画像形成装置１から、今回はステータス情報１００を取得できなかった場合には、当該画像形成装置１のステータス表示設定４１０をオフラインと設定する。
【００５０】
（ステップＳ１０１）
次に、制御部２０が、ステータス情報取得部２００により、ログイン処理を行う。
制御部２０は、入力部２２からユーザーにユーザーＩＤとパスワードとを入力させてこれを取得する。制御部２０は、取得したユーザーＩＤとパスワードから、アカウント設定３１０を参照し、ユーザー認証を行う。
制御部２０は、このユーザー認証の結果を受信すると、記憶部１９に保存する。
なお、制御部２０は、いずれかの画像形成装置１の操作パネル部１６の入力部によりユーザー認証を行わせてもよい。この場合、制御部２０は、画像形成装置１から、入力されたユーザーＩＤとパスワードとを情報処理装置２に送信する。
【００５１】
（ステップＳ１０２）
次に、制御部２０が、ステータス情報取得部２００により、ログイン成功か否かを判定する。制御部２０は、ユーザー認証が成功していた場合に、Ｙｅｓと判定する。制御部２０は、それ以外の場合、ユーザーＩＤによるログインがされていないか、ユーザー認証が失敗していた場合にＮｏと判定する。
Ｙｅｓの場合、制御部２０は、処理をステップＳ１０３に進める。
Ｎｏの場合、制御部２０は、ステータス表示処理を終了する。
【００５２】
（ステップＳ１０３）
次に、制御部２０が、ステータス情報取得部２００により、ステータス表示の指示があったか否かを判定する。制御部２０は、入力部２２のデバイスドライバー等の実行時の基本画面においてユーザーによるステータス表示の所定操作による指示があった場合に、Ｙｅｓと判定する。制御部２０は、それ以外の場合には、Ｎｏと判定する。
Ｙｅｓの場合、制御部２０は、処理をステップＳ１０４に進める。
Ｎｏの場合、制御部２０は、処理をステップＳ１１０に進める。
【００５３】
（ステップＳ１０４）
ユーザーによるステータス表示の指示があった場合、制御部２０が、ステータス情報表示制御部２２０及び機能選択表示部２３０により、ステータス情報描画処理を行う。
制御部２０は、動作状態情報３００とアカウント設定３１０を読みだして、取得したステータス情報１００を、ユーザー選択機器情報４００とステータス表示設定４１０に基づいて表示部２３に描画し、一画面で表示させる。
たとえば、図３（ａ）の画面例５００は、デバイスドライバーの所定操作により、取得したステータス情報１００を、表示部２３に一画面で一覧表示する例を示している。
制御部２０は、この画面例５００においては、左端の「Current」のグループ６０１の箇所に、「現在選択」の画像形成装置１のステータス情報１００の表示欄をタイル状に描画している。また、制御部２０は、「Current」に隣接する「Recent and Favorites」のグループ６０２の箇所に、「お気に入り」の画像形成装置１のステータス情報１００の表示欄を描画する。また、制御部２０は、「Other」のグループ６０３の箇所に、「現在選択」「お気に入り」以外で、ステータス表示設定４１０に対応して表示する画像形成装置１のステータス情報１００を表示する。
【００５４】
図３（ａ）（ｂ）の例において、制御部２０は、各画像形成装置１のステータス情報１００を表示する表示欄の上部に、灰色のタイトルバーを描画する。また、制御部２０は、このタイトルバーの左下に該当する画像形成装置１のオンライン又はオフラインの状態と機器情報とを描画する。また、制御部２０は、タイトルバーの右下に、「お気に入り」に登録済みであることを星印として示す。また、制御部２０は、機器情報、トナー量、各給紙カセット４２ａの残用紙数等をステータス表示設定４１０に従って表示する。
より詳細に説明すると、制御部２０は、各表示欄のタイトルバーに、それぞれ「Current Device」「Last Used Device」「Favorite」「Network Device」等として、画像形成装置１の「現在選択」「前回使用デバイス」「お気に入り」「（その他の）ネットワーク上の機器」等の種別や状態を示す情報を表示する。また、制御部２０は、この表示欄において、ステータス情報１００が取得できなかったオフラインの画像形成装置１については、以前に取得したステータス情報１００の値を表示し、タイトルバーの左下に注意マーク等を描画して、オフライン状態であることをユーザーに示す。
【００５５】
また、図３（ｂ）の画面例５１０は、デバイスドライバーの基本画面等で、ステータス情報１００を表示する例を示している。図３（ｂ）においては、制御部２０は、「現在選択」のグループ６１１と、「お気に入り」のグループ６１２とについて、画像形成装置１のステータス情報１００が表示欄に表示している。画面例５１０では、これに加えて、「現在選択」の画像形成装置１の機能を呼び出すための表示欄のグループ６１４が表示されている。
【００５６】
（ステップＳ１０５）
次に、制御部２０が、ユーザー選択機器情報登録部２１０により、ステータス表示機器選択処理を行う。
制御部２０は、各画像形成装置１のステータス情報１００が表示された表示欄を画面上でユーザーが選択したことを検出した場合、更に詳細表示や各種設定を行い、ステータス表示設定４１０に反映させる。
図３（ａ）、図３（ｂ）の例では、制御部２０は、各画像形成装置１のステータス情報１００の表示欄が、入力部２２のタッチパネルやポインティングデバイス等で押下されたことを検出する。この押下を検出した場合、表示欄内の場所により、制御部２０は、ユーザーによる詳細な設定の指示を取得する。
なお、制御部２０は、詳細な設定のための画面等（図示せず）を更に描画してもよい。制御部２０は、この詳細な設定の画面で、各種表示等の設定を行い、ステータス表示設定４１０に反映させる。
【００５７】
（ステップＳ１０６）
次に、制御部２０が、ユーザー選択機器情報登録部２１０により、ユーザーが選択した画像形成装置１について、優先してステータス情報を表示する「お気に入り」への登録がユーザーにより指示されたか否かを判定する。
図３（ａ）、図３（ｂ）の例では、制御部２０は、各画像形成装置１のステータス情報１００の表示欄の右上の箇所が、入力部２２のタッチパネルやポインティングデバイス等で押下されたことを検出する。このような指示を検出した場合、制御部２０は、Ｙｅｓと判定する。制御部２０は、それ以外の場合は、Ｎｏと判定する。
Ｙｅｓの場合、制御部２０は、処理をステップＳ１０７に進める。
Ｎｏの場合、制御部２０は、処理をステップＳ１０８に進める。
【００５８】
（ステップＳ１０７）
「お気に入り」への登録が指示された場合、制御部２０が、ユーザー選択機器情報登録部２１０により、ユーザー選択機器情報登録処理を行う。
制御部２０は、ユーザーにより選択された画像形成装置１の機器情報を、ユーザー選択機器情報４００に設定することで登録を行う。
制御部２０は、この登録の際に、選択された画像形成装置１の優先順位をもっとも上位に設定する。また、制御部２０は、ユーザー選択機器情報４００のお気に入り登録数が所定数を超えたら、一番古く登録された画像形成装置１の機器情報から削除してもよい。
【００５９】
（ステップＳ１０８）
ここで、制御部２０が、ステータス情報表示制御部２２０により、各画像形成装置１のステータス情報１００の表示欄をコンパクトモードで表示するか否かを判定する。
制御部２０は、ユーザーが選択した画像形成装置１について、ユーザーによるコンパクトモードで表示する指示を取得した場合、Ｙｅｓと判定する。また、制御部２０は、ステータス情報を表示する画面の大きさの情報を取得し、この画面の大きさ等が所定の閾値より小さい場合も、Ｙｅｓと判定する。制御部２０は、それ以外の場合には、Ｎｏと判定する。
図３（ａ）、図３（ｂ）の例では、制御部２０は、各画像形成装置１のステータス情報１００の表示欄のタイトルバーの箇所の押下を、ユーザーによるコンパクトモードで表示する指示として取得し、Ｙｅｓと判定する。また、制御部２０は、スマートフォン等のように表示部２３の大きさが小さく、各表示欄に表示可能な文字数等が所定数以下の場合、所定の閾値より小さいため、Ｙｅｓと判定する。
Ｙｅｓの場合、制御部２０は、処理をステップＳ１０９に進める。
Ｎｏの場合、制御部２０は、ステータス表示処理を終了する。
【００６０】
（ステップＳ１０９）
コンパクトモードで表示する場合、制御部２０が、ステータス情報表示制御部２２０により、表示欄コンパクト化処理を行う。
制御部２０は、ユーザーに指示された画像形成装置１のステータス情報１００を表示する表示欄の大きさと、表示するステータス情報１００の動作状態の種類とを、ステータス表示設定４１０のコンパクトモード時の設定に合わせて変化させる。
また、制御部２０は、画面の大きさ等が所定の閾値より小さい場合は、画像形成装置１のステータス情報１００の表示欄の全てについて、コンパクトモードに変化させる。
図３（ｂ）の例では、「現在選択」のグループ６１１の表示欄が標準モード、「お気に入り」のグループ６１２の各表示欄がコンパクトモードで表示されている。
図４は、標準モードとコンパクトモードで表示される表示欄の例を示している。図４（ａ）は標準モードの画像形成装置１のステータス情報１００の表示欄の例であり、図４（ｂ）はコンパクトモードに変化された画像形成装置１のステータス情報１００の表示欄の例である。これらの例では、標準モードにおいては、各給紙カセット４２ａの用紙残量の他に用紙の種類や大きさを縦に並べて表示されている。これに対して、コンパクトモードでは各給紙カセット４２ａの用紙の残量のみを、横に並べて表示している。しかしながら、標準モード、コンパクトモードとも、機器情報や各色トナーの残量等は、同じように表示している。このように、表示欄の大きさだけでなく表示する動作状況の種類を変化させることで、トナー残量等のユーザーがより知りたい情報については視認性を保ったまま、より重要性が低い情報を縮小して表示することができ、視認性を高めることができる。なお、この標準モードやコンパクトモードにおいて、制御部２０は、各動作状況の箇所を押下することで、より詳細な情報を表示する表示欄を更に描画してもよい。
その後、制御部２０は、ステータス表示処理を終了する。
【００６１】
（ステップＳ１１０）
ここで、ユーザーにステータス表示が指示されていなかった場合、制御部２０が、機能選択表示部２３０により、各種機能呼び出しの指示がされたか否かを判定する。
図３（ｂ）の例では、制御部２０は、グループ６１４の各表示欄が押下されたことを指示として検出する。制御部２０は、この各表示欄のいずれかの押下が検出された場合に、Ｙｅｓと判定する。制御部２０は、それ以外の場合には、Ｎｏと判定する。
Ｙｅｓの場合、制御部２０は、処理をステップＳ１１１に進める。
Ｎｏの場合、制御部２０は、ステータス表示処理を終了する。
【００６２】
（ステップＳ１１１）
各種機能呼び出しの指示がされた場合、制御部２０が、機能選択表示部２３０により、各種機能呼び出し処理を行う。
図３（ｂ）の例では、制御部２０は、押下された表示欄に対応する各種機能を画像形成装置１により実行させるコマンドを、ネットワーク５を介して「現在選択」の画像形成装置１に送信する。これにより、画像形成装置１の各種機能を、ステータス表示と同じ画面上で呼び出すことができ、ユーザーの利便性が高まる。図３（ｂ）では、「Scan」の表示欄によりスキャンやカメラ撮像、「Recently Saved」の表示欄により文書ボックスの最近保存された文書の取得、「Create」により定形フォームを作成して印刷するといった機能を呼びだすことができる。
以上により、本発明の実施の形態に係るステータス表示処理を終了する。その後、制御部２０は、ユーザーのさらなる指示があるまで待機する。
【００６３】
以上のように構成することで、以下のような効果を得ることができる。
従来、特許文献１の技術は、実際に知りたい画像形成装置のステータス情報を探すのが大変で、ステータス情報表示の使い勝手が悪いという問題があった。
これに対して、本発明の実施の形態に係る情報処理装置２は、複数の画像形成装置１のステータス情報１００をそれぞれ取得するステータス情報取得部２００と、ステータス情報取得部２００により取得された複数の画像形成装置１のステータス情報１００のうち、ユーザーにより優先してステータス情報を表示するよう選択された画像形成装置１をユーザー選択機器情報４００として登録するユーザー選択機器情報登録部２１０と、ユーザー選択機器情報登録部２１０によりユーザー選択機器情報４００に登録された画像形成装置１のステータス情報１００について、登録された順番が遅いほど表示の優先順位を上位にして、画像形成装置１毎に表示欄で区別して一画面で並べて表示部２３に表示させるステータス情報表示制御部２２０とを備えることを特徴とする。
このように構成することで、ユーザーは、ステータス情報を閲覧したい画像形成装置１のステータス情報を容易に選択して、一覧性よく表示可能である。
これにより、ステータス情報表示の使い勝手をよくして、各画像形成装置１の稼働率を引き上げ、サービスマン等のメンテナンスも容易とすることができる。よって、コストを低減できる。
【００６４】
また、本発明の実施の形態に係る情報処理装置２は、ステータス情報表示制御部２２０が、ユーザーの指示又はステータス情報１００を表示する画面の大きさの情報を取得し、画像形成装置１毎に、ステータス情報１００を表示する表示欄の大きさと、表示するステータス情報１００の種類とを変化させ表示させることを特徴とする。
このように構成することで、ユーザーが特に状況を知りたい画像形成装置１のステータス情報１００を標準モードで大きく描画し、状況を知る重要度が低い画像形成装置１のステータス情報１００は、コンパクトモードで小さく表示することができる。これにより、一画面でステータス情報１００を閲覧できる画像形成装置１の数を増加させ、一覧性を高めることができる。また、詳細に閲覧が必要な画像形成装置１のステータス情報は、標準モードで大きく表示しておき、閲覧性を高められる。また、スマートフォンやタブレット端末でも、必要なステータス情報１００を閲覧性よく表示できる。これにより、ユーザーの使い勝手がよくなり、メンテナンスも容易となり、コストを低減できる。
また、閲覧時に注意が必要な画像形成装置１のステータス情報１００と、ユーザにとってそれほど閲覧が必要でない情報とを一画面で表示して確認することが可能となる。
【００６５】
また、本発明の実施の形態に係る情報処理装置２は、各ステータス情報１００が表示されるものと同一の画面上に、選択された画像形成装置１の機能を呼び出す表示欄を表示させる機能選択表示部２３０を備えることを特徴とする。
このように構成することで、ステータス情報１００を表示している画像形成装置１について、そのステータス情報１００を見ながら機能を呼び出すことができる。たとえば、トナーが少ない画像形成装置１ではテンプレート画像の印刷をやめて、他の画像形成装置１を選択して印刷させるといった処理が可能となり、コストを削減できる。
【００６６】
また、本発明の実施の形態に係る画像形成システムＸは、画像形成装置１と、情報処理装置２とを備えたことを特徴とする。
このように構成することで、各画像形成装置１と情報処理装置２との間で容易にステータス情報１００の閲覧と、設定の変更等が行える。また、画像形成装置１からログインして情報処理装置２でステータスを表示させるといった処理も可能となり、メンテナンスを迅速に実行でき、サービスコストを低減できる。
【００６７】
なお、本発明の実施の形態においては、ユーザー選択機器情報４００は、情報処理装置２に保存されているように記載した。しかしながら、アカウント設定３１０を画像形成装置１の記憶部１９に記憶しておき、このアカウント設定３１０にユーザーＩＤ毎のユーザー選択機器情報４００が含まれているような構成であってもよい。この場合、画像形成装置１によりユーザー認証を行ってもよい。
このように構成することで、情報処理装置２がない構成であっても、画像形成装置１のステータス情報１００の表示を行うことができる。
【００６８】
また、本実施形態の画像形成装置１は、無線又は有線でユーザー認証を行う磁気カードリーダー又はＩＣカードリーダーを備えていて、この磁気カードリーダー又はＩＣカードリーダーでユーザー認証を行ってもよい。
この場合、磁気カードリーダー又はＩＣカードリーダーにより読み取られる記録媒体である磁気カード又はＩＣカードに、ユーザー選択機器情報４００及びステータス表示設定４１０が記憶されていてもよい。
このような構成によっても、情報処理装置２がない構成であっても、画像形成装置１のみで、ネットワーク５に接続された他の画像形成装置１のステータス表示が可能となる。また、ユーザー選択機器情報４００を情報を磁気カード又はＩＣカードに保存しているため、サービスマン等がメンテナンス先で、必要なステータス情報１００を容易に表示できる。
【００６９】
また、上述の実施の形態では、ステータス情報１００の表示を情報処理装置２の表示部２３に行ったが、このステータス表示を、画像形成装置１や図示しないサーバーの表示手段に行ってもよい。
これにより、外部の機器でも容易にステータス情報１００を確認可能となる。
【００７０】
また、上述の実施の形態では、ステータス表示の描画を行った後、ユーザー選択機器情報４００の変更を行ったものの、これに限られない。また、ユーザー選択機器情報４００の設定や表示を別メニューから行うような構成であってもよい。また、選択情報の設定や表示は画像形成装置１や図示しない端末等で行ってもよい。
これにより、画像形成装置１以外でも容易にユーザー選択機器情報４００の設定を行うことができ、使い勝手を向上させることができる。
また、上述の実施の形態の図３、図４では、「お気に入り」に登録した際にすべて星印が付されて表示される如く説明したものの、これに限られない。たとえば、「前回使用デバイス」については「お気に入り」に登録した際の星印を表示せずに、「お気に入り」と同様の構成でまとめて表示するような構成であってもよい。
【００７１】
また、本発明は、画像形成装置以外の情報処理装置にも適用できる。つまり、ネットワークスキャナー、スキャナーをＵＳＢ等で別途接続したサーバー等を用いる構成であってもよい。
【００７２】
また、上記実施の形態の構成及び動作は例であって、本発明の趣旨を逸脱しない範囲で適宜変更して実行することができることは言うまでもない。
【符号の説明】
【００７３】
１  画像形成装置
２  情報処理装置
５  ネットワーク
１０、２０  制御部
１１  画像処理部
１２  原稿読取部
１２ａ  スキャナー
１２ｂ  プラテンガラス
１２ｃ  原稿読取スリット
１３  原稿給送部
１３ａ  原稿載置部
１３ｂ  原稿排出部
１３ｃ  原稿搬送機構
１４  本体部
１５、２５  ネットワーク送受信部
１６  操作パネル部
１７  画像形成部
１７ａ  感光体ドラム
１７ｂ  露光部
１７ｃ  現像部
１７ｄ  転写部
１７ｅ  定着部
１８  ＦＡＸ送受信部
１９、２９  記憶部
２１  Ｉ／Ｏ部
２２  入力部
２３  表示部
４１  排出口
４２  給紙部
４２ａ  給紙カセット
４２ｂ  給紙ローラー
４３  用紙搬送路
４４  搬送ローラー対
４５  排出ローラー対
５０  スタックトレイ
１００  ステータス情報
２００  ステータス情報取得部
２１０  ユーザー選択機器情報登録部
２２０  ステータス情報表示制御部
２３０  機能選択表示部
３００  動作状態情報
３１０  アカウント設定
３２０  印刷データ
４００  ユーザー選択機器情報
４１０  ステータス表示設定
５００、５１０  画面例
６０１、６０２、６０３、６１１、６１２、６１４  グループ
Ｘ  画像形成システム
【図１】
2015087901.tif 000003
【図２】
2015087901.tif 000004
【図３】
2015087901.tif 000005
【図４】
2015087901.tif 000006
【図５】
2015087901.tif 000007
【図６】
2015087901.tif 000008
【図７】
2015087901.tif 000009
【図８】
2015087901.tif 000010